(57)【特許請求の範囲】
【請求項１】
無線端末による測定情報を用いて無線セルの無線パラメータを制御する無線パラメータ制御システムであって、
制御対象無線セルの無線パラメータを変更したと仮定した場合に、接続先無線セルが前記制御対象無線セルから前記制御対象無線セル以外の無線セルとなる接続先変更無線端末と、前記接続先無線セルが前記制御対象無線セルから変わらない接続先維持無線端末とを予測し、少なくとも一つ以上の前記接続先変更無線端末と、少なくとも一つ以上の前記接続先維持無線端末とを、前記制御対象無線セルの無線パラメータを評価するための評価対象無線端末として選択する評価対象無線端末選択手段と、
前記無線パラメータを変更したと仮定した場合における前記評価対象無線端末の通信品質を、前記評価対象無線端末から収集した測定情報を用いて評価し、前記評価の結果に基づいて、前記制御対象無線セルの無線パラメータを決定する無線パラメータ制御手段と
を有する無線パラメータ制御システム。
【請求項２】
前記評価対象無線端末選択手段は、前記制御対象無線セルの無線パラメータの変更前に、前記制御対象無線セルをサービングセルとする無線端末から収集した測定情報に基づいて、前記接続先変更無線端末を予測する
請求項１に記載の無線パラメータ制御システム。
【請求項３】
前記評価対象無線端末選択手段は、前記制御対象無線セルをサービングセルとする無線端末から収集した前記制御対象無線セルおよび前記制御対象無線セル以外の無線セルの無線品質を含む測定情報を用いて、前記無線パラメータを候補値に変更したと仮定した場合の前記無線端末の無線品質を予測し、前記予測した無線品質が高い上位所定数の無線セルを、前記接続先無線セルとする
請求項１又は請求項２に記載の無線パラメータ制御システム。
【請求項４】
前記無線パラメータ制御手段は、変更する無線パラメータの複数の候補値に対して、前記評価対象無線端末を共通に用いる
請求項１から請求項３のいずれかに記載の無線パラメータ制御システム。
【請求項５】
前記無線品質は、受信電力、受信品質、信号対干渉雑音比、スループットの少なくともいずれかを含む
請求項４に記載の無線パラメータ制御システム。
【請求項６】
前記評価対象無線端末選択手段は、前記無線パラメータの候補値毎に、前記接続先変更無線端末を予測する
請求項１から請求項５のいずれかに記載の無線パラメータ制御システム。
【請求項７】
前記評価対象無線端末選択手段は、前記無線パラメータのいずれかの候補値において、前記接続先無線セルが前記制御対象無線セル以外の無線セルとなる無線端末を、接続先変更無線端末として予測する
請求項１から請求項５のいずれかに記載の無線パラメータ制御システム。
【請求項８】
前記通信品質は、スループット、ハンドオーバ失敗率、異常切断率、無線品質の少なくともいずれかである
請求項１から請求項７のいずれかに記載の無線パラメータ制御システム。
【請求項９】
前記無線パラメータ制御手段は、前記評価対象無線端末の測定情報のうち、前記接続先変更無線端末の測定情報を重視して通信品質を評価する
請求項１から請求項８のいずれかに記載無線パラメータ制御システム。
【請求項１０】
前記無線パラメータ決定手段は、前記接続先変更無線端末の測定情報の報告数が前記評価対象無線端末の測定情報の報告数に占める割合が高くなるように、前記接続先変更無線端末の測定情報の報告数又は前記接続先変更無線端末以外の測定情報の報告数を変更する
請求項９に記載の無線パラメータ制御システム。
【請求項１１】
前記無線パラメータ決定手段は、前記接続先変更無線端末の測定情報を変更して通信品質を評価する
請求項９又は請求項１０に記載の無線パラメータ制御システム。
【請求項１２】
前記評価対象無線端末選択手段と、前記無線パラメータ制御手段とが、無線基地局に接続された無線パラメータ制御装置に設けられる
請求項１から請求項１１のいずれかに記載の無線パラメータ制御システム。
【請求項１３】
前記評価対象無線端末選択手段と、前記無線パラメータ制御手段とが、無線基地局に設けられる
請求項１から請求項１１のいずれかに記載の無線パラメータ制御システム。
【請求項１４】
無線端末による測定情報を用いて無線セルの無線パラメータを制御する無線パラメータ制御装置であって、
制御対象無線セルの無線パラメータを変更したと仮定した場合に、接続先無線セルが前記制御対象無線セルから前記制御対象無線セル以外の無線セルとなる接続先変更無線端末と、前記接続先無線セルが前記制御対象無線セルから変わらない接続先維持無線端末とを予測し、少なくとも一つ以上の前記接続先変更無線端末と、少なくとも一つ以上の前記接続先維持無線端末とを、前記制御対象無線セルの無線パラメータを評価するための評価対象無線端末として選択する評価対象無線端末選択手段と、
前記無線パラメータを変更したと仮定した場合における前記評価対象無線端末の通信品質を、前記評価対象無線端末から収集した測定情報を用いて評価し、前記評価の結果に基づいて、前記制御対象無線セルの無線パラメータを決定する無線パラメータ制御手段と
を有する無線パラメータ制御装置。
【請求項１５】
前記評価対象無線端末選択手段は、前記制御対象無線セルの無線パラメータの変更前に、前記制御対象無線セルをサービングセルとする無線端末から収集した測定情報に基づいて、前記接続先変更無線端末を予測する
請求項１４に記載の無線パラメータ制御装置。
【請求項１６】
前記評価対象無線端末選択手段は、前記制御対象無線セルをサービングセルとする無線端末から収集した前記制御対象無線セルおよび前記制御対象無線セル以外の無線セルの無線品質を含む測定情報を用いて、前記無線パラメータを候補値に変更したと仮定した場合の前記無線端末の無線品質を予測し、前記予測した無線品質が高い上位所定数の無線セルを、前記接続先無線セルとする
請求項１４又は請求項１５に記載の無線パラメータ制御装置。
【請求項１７】
前記無線パラメータ制御手段は、変更する無線パラメータの複数の候補値に対して、前記評価対象無線端末を共通に用いる
請求項１４から請求項１６のいずれかに記載の無線パラメータ制御装置。
【請求項１８】
前記無線品質は、受信電力、受信品質、信号対干渉雑音比、スループットの少なくともいずれかを含む
請求項１７に記載の無線パラメータ制御装置。
【請求項１９】
前記評価対象無線端末選択手段は、前記無線パラメータの候補値の候補値毎に、前記接続先変更無線端末を予測する
請求項１４から請求項１８のいずれかに記載の無線パラメータ制御装置。
【請求項２０】
前記評価対象無線端末選択手段は、前記無線パラメータのいずれかの候補値において、前記接続先無線セルが前記制御対象無線セル以外の無線セルとなる無線端末を、接続先変更無線端末として予測する
請求項１４から請求項１８のいずれかに記載の無線パラメータ制御装置。
【請求項２１】
前記通信品質は、スループット、ハンドオーバ失敗率、異常切断率、無線品質の少なくともいずれかである
請求項１４から請求項２０のいずれかに記載の無線パラメータ制御装置。
【請求項２２】
前記無線パラメータ制御手段は、前記評価対象無線端末の測定情報のうち、前記接続先変更無線端末の測定情報を重視して通信品質を評価する
請求項１４から請求項２１のいずれかに記載無線パラメータ制御装置。
【請求項２３】
前記無線パラメータ決定手段は、前記接続先変更無線端末の測定情報の報告数が前記評価対象無線端末の測定情報の報告数に占める割合が高くなるように、前記接続先変更無線端末の測定情報の報告数又は前記接続先変更無線端末以外の測定情報の報告数を変更する
請求項２２に記載の無線パラメータ制御装置。
【請求項２４】
前記無線パラメータ決定手段は、前記接続先変更無線端末の測定情報を変更して通信品質を評価する
請求項２２又は請求項２３に記載の無線パラメータ制御装置。
【請求項２５】
無線端末による測定情報を用いて無線セルの無線パラメータを制御する無線基地局であって、
制御対象無線セルの無線パラメータを変更したと仮定した場合に、接続先無線セルが前記制御対象無線セルから前記制御対象無線セル以外の無線セルとなる接続先変更無線端末と、前記接続先無線セルが前記制御対象無線セルから変わらない接続先維持無線端末とを予測し、少なくとも一つ以上の前記接続先変更無線端末と、少なくとも一つ以上の前記接続先維持無線端末とを、前記制御対象無線セルの無線パラメータを評価するための評価対象無線端末として選択する評価対象無線端末選択手段と、
前記無線パラメータを変更したと仮定した場合における、前記評価対象無線端末の通信品質を、前記評価対象無線端末から収集した測定情報を用いて評価し、前記評価の結果に基づいて、前記制御対象無線セルの無線パラメータを決定する無線パラメータ制御手段と
を有する無線基地局。
【請求項２６】
前記無線パラメータ制御手段は、変更する無線パラメータの複数の候補値に対して、前記評価対象無線端末を共通に用いる
請求項２５に記載の無線基地局。
【請求項２７】
無線端末による測定情報を用いて無線セルの無線パラメータを制御する無線パラメータ制御方法であって、
制御対象無線セルの無線パラメータを変更したと仮定した場合に、接続先無線セルが前記制御対象無線セルから前記制御対象無線セル以外の無線セルとなる接続先変更無線端末と、前記接続先無線セルが前記制御対象無線セルから変わらない接続先維持無線端末とを予測し、少なくとも一つ以上の前記接続先変更無線端末と、少なくとも一つ以上の前記接続先維持無線端末とを、前記制御対象無線セルの無線パラメータを評価するための評価対象無線端末として選択し、
前記無線パラメータを変更したと仮定した場合における前記評価対象無線端末の通信品質を、前記評価対象無線端末から収集した測定情報を用いて評価し、前記評価の結果に基づいて、前記制御対象無線セルの無線パラメータを決定する
無線パラメータ制御方法。
【請求項２８】
前記無線パラメータの決定は、変更する無線パラメータの複数の候補値に対して、前記評価対象無線端末を共通に用いる
請求項２７に記載の無線パラメータ制御方法。
【請求項２９】
無線端末による測定情報を用いて無線セルの無線パラメータを制御するプログラムであって、
コンピュータに、
制御対象無線セルの無線パラメータを変更したと仮定した場合に、接続先無線セルが前記制御対象無線セルから前記制御対象無線セル以外の無線セルとなる接続先変更無線端末と、前記接続先無線セルが前記制御対象無線セルから変わらない接続先維持無線端末とを予測し、少なくとも一つ以上の前記接続先変更無線端末と、少なくとも一以上の前記接続先維持無線端末とを、前記制御対象無線セルの無線パラメータを評価するための評価対象無線端末として選択する処理と、
前記無線パラメータを変更したと仮定した場合における前記評価対象無線端末の通信品質を、前記評価対象無線端末から収集した測定情報を用いて評価し、前記評価の結果に基づいて、前記制御対象無線セルの無線パラメータを決定する処理と
を実行させるプログラム。
【発明の詳細な説明】
【技術分野】
【０００１】
本発明は、無線パラメータ制御システム、無線パラメータ制御装置、無線基地局、無線パラメータ制御方法及びプログラムに関する。
【背景技術】
【０００２】
携帯電話に代表されるセルラ方式の無線通信網では、複数の無線基地局を分散して配置することにより、広域なサービスエリアを構成する。各無線基地局は、自身と通信可能な範囲である無線セルを形成する。通常は１〜６程度の無線セルが１つの無線基地局によって管理される。また、互いに隣接する無線セル同士で、カバレッジの一部に重なりを持たせることによって、無線端末（Ｕｓｅｒ  Ｅｑｕｉｐｍｅｎｔ：ＵＥ）が無線セルを跨って移動した際にもハンドオーバにより通信を持続することができる。
【０００３】
無線基地局の設置時や運用中には、通信不能なエリア（Ｃｏｖｅｒａｇｅ  ｈｏｌｅ）を減らし、さらにはＵＥの通信品質、特にスループットを改善することを目的に、無線セルのカバレッジ最適化が行われる。一般的には、現地にて専用の測定器を用いた走行試験を実施する。走行試験においては、電波の受信電力や干渉状況、通信の異常切断やハンドオーバ失敗の発生有無、スループットなどが測定される。そして、受信電力が不十分な場所（Ｗｅａｋ  ｃｏｖｅｒａｇｅ）や、強い干渉を受けている場所（Ｐｉｌｏｔ  ｐｏｌｌｕｔｉｏｎ）などを特定し、これらの問題を解消するための無線パラメータの調整が行われる。調整される無線パラメータとしては、例えば、無線セルのアンテナチルト角、アンテナ方位角、送信電力、及びハンドオーバパラメータなどが一般的である。
【０００４】
上述の走行試験に基づく無線セルのカバレッジ最適化は、人手による測定ならびに無線パラメータのチューニング作業を伴うため、無線通信網の運用コストの増加の一因となっている。そこで、こうした無線セルのカバレッジ最適化にかかるコストを削減するために、無線セルのカバレッジを自律的に最適化する技術が提案されている。
【０００５】
無線通信網の設定を自律的に最適化する技術の一つとしては、ＳＯＮ（Ｓｅｌｆ  Ｏｒｇａｎｉｚｉｎｇ  Ｎｅｔｗｏｒｋ）がある。ＳＯＮは、無線端末や無線基地局から収集した品質測定データを解析することによって、従来は人手で行われていた無線通信ネットワークのパラメータ設定や最適化を自律的に実施する技術であり、無線通信インフラのＣＡＰＥＸ（Ｃａｐｔｉｔａｌ  Ｅｘｐｅｎｄｉｔｕｒｅ）／ＯＰＥＸ（Ｏｐｅｒａｔｉｏｎａｌ  Ｅｘｐｅｎｄｉｔｕｒｅ）を削減する技術として期待されている。具体的なＳＯＮの使用態様のひとつとして、ＣＣＯ（Ｃｏｖｅｒａｇｅ ａｎｄ Ｃａｐａｃｉｔｙ Ｏｐｔｉｍｉｚａｔｉｏｎ）がある。このＣＣＯは、無線端末から無線品質（例えば、ＲＳＲＰ：Ｒｅｆｅｒｅｎｃｅ  Ｓｉｇｎａｌ  Ｒｅｃｅｉｖｅｄ  Ｐｏｗｅｒ、ＲＳＲＱ：Ｒｅｆｅｒｅｎｃｅ  Ｓｉｇｎａｌ Ｒｅｃｅｉｖｅｄ  Ｑｕａｌｉｔｙ等）の測定結果を収集し、無線セルの無線パラメータ（例えば、送信電力やアンテナのチルト角等）の変更によって自律的に無線セルのカバレッジの最適化を図る技術である。
【０００６】
また、他の技術としては、ＩＣＩＣ（Ｉｎｔｅｒ−Ｃｅｌｌ Ｉｎｔｅｒｆｅｒｅｎｃｅ Ｃｏｏｒｄｉｎａｔｉｏｎ）がある。ＩＣＩＣは、無線端末から報告される無線品質情報を基に、基地局間で協調して送信電力の削減や信号送付の休止を行うことにより、干渉を回避する技術である。
【０００７】
更に、他の技術として、特許文献１に記載された技術がある。特許文献１の技術は、自フェムトセルに接続する無線端末から無線品質の測定情報を収集し、収集した無線品質の測定情報を用いて、自フェムトセルの送信電力を変更したと仮定した場合の自フェムトセルの無線品質（通信品質）を予測し、自フェムトセルの送信電力を変更するか否かを決定する技術である。
【先行技術文献】
【特許文献】
【０００８】
【特許文献１】国際公開第ＷＯ２００９／０２３５８７号パンフレット
【発明の概要】
【発明が解決しようとする課題】
【０００９】
ところで、送信電力やアンテナチルト角など、無線セルのカバレッジの変化を伴う無線パラメータを変更した場合、同じ場所に存在する無線端末であっても、無線パラメータの変更前と変更後とでは、無線端末が接続する無線セル（サービングセル）が変わる可能性がある。
【００１０】
しかしながら、特許文献１の技術は、無線パラメータの変更に伴う無線端末のサービングセルの変化を考慮していない。そのため、無線パラメータの変更によってサービングセルが切り替わる無線端末についての通信品質を正確に評価することができず、結果として無線パラメータの最適化が図れなかった。
【００１１】
さらに、制御する無線セル（制御対象無線セル）についての通信品質のみを考慮するため、制制御対象無線セルの無線パラメータの変更によって、制御対象無線セルの周辺に存在する無線セルの品質劣化を招く恐れがあった。
【００１２】
そこで、本発明は上記課題を鑑みてなされたものであって、その目的は、無線セルの無線パラメータを制御する際に、無線パラメータを最適化することができる無線パラメータ制御システム、無線パラメータ制御装置、無線基地局、無線パラメータ制御方法及びプログラムを提供することにある。
【課題を解決するための手段】
【００１３】
本発明は、無線端末による測定情報を用いて無線セルの無線パラメータを制御する無線パラメータ制御システムであって、制御対象無線セルの無線パラメータを変更したと仮定した場合に、接続先無線セルが前記制御対象無線セルから前記制御対象無線セル以外の無線セルとなる接続先変更無線端末を予測し、前記接続先変更無線端末の少なくとも一つ以上を、前記制御対象無線セルの無線パラメータを評価するための評価対象無線端末として選択する評価対象無線端末選択手段と、前記評価対象無線端末を考慮し、前記制御対象無線セルの無線パラメータを決定する無線パラメータ制御手段とを有する無線パラメータ制御システムである。
【００１４】
本発明は、無線端末による測定情報を用いて無線セルの無線パラメータを制御する無線パラメータ制御装置であって、制御対象無線セルの無線パラメータを変更したと仮定した場合に、接続先無線セルが前記制御対象無線セルから前記制御対象無線セル以外の無線セルとなる接続先変更無線端末を予測し、前記接続先変更無線端末の少なくとも一つ以上を、前記制御対象無線セルの無線パラメータを評価するための評価対象無線端末として選択する評価対象無線端末選択手段と、前記評価対象無線端末を考慮し、前記制御対象無線セルの無線パラメータを決定する無線パラメータ制御手段とを有する無線パラメータ制御装置である。
【００１５】
本発明は、無線端末による測定情報を用いて無線セルの無線パラメータを制御する無線基地局であって、制御対象無線セルの無線パラメータを変更したと仮定した場合に、接続先無線セルが前記制御対象無線セルから前記制御対象無線セル以外の無線セルとなる接続先変更無線端末を予測し、前記接続先変更無線端末の少なくとも一つ以上を、前記制御対象無線セルの無線パラメータを評価するための評価対象無線端末として選択する評価対象無線端末選択手段と、前記評価対象無線端末を考慮し、前記制御対象無線セルの無線パラメータを決定する無線パラメータ制御手段とを有する無線基地局である。
【００１６】
本発明は、無線端末による測定情報を用いて無線セルの無線パラメータを制御する無線パラメータ制御方法であって、制御対象無線セルの無線パラメータを変更したと仮定した場合に、接続先無線セルが前記制御対象無線セルから前記制御対象無線セル以外の無線セルとなる接続先変更無線端末を予測し、前記接続先変更無線端末の少なくとも一つ以上を、前記制御対象無線セルの無線パラメータを評価するための評価対象無線端末として選択し、前記評価対象無線端末を考慮し、前記制御対象無線セルの無線パラメータを決定する無線パラメータ制御方法である。
【００１７】
本発明は、無線端末による測定情報を用いて無線セルの無線パラメータを制御するプログラムであって、コンピュータに、制御対象無線セルの無線パラメータを変更したと仮定した場合に、接続先無線セルが前記制御対象無線セルから前記制御対象無線セル以外の無線セルとなる接続先変更無線端末を予測し、前記接続先変更無線端末の少なくとも一以上を、前記制御対象無線セルの無線パラメータを評価するための評価対象無線端末として選択する処理と、前記評価対象無線端末を考慮し、前記制御対象無線セルの無線パラメータを決定する処理とを実行させるプログラムである。
【発明の効果】
【００１８】
本発明は、無線セルの無線パラメータを制御する際に、制御対象無線セルの無線パラメータを最適化することができる。
【図面の簡単な説明】
【００１９】
【図１】図１は本発明の概要を説明するための図である。
【図２】図２は本発明の無線パラメータ制御システムの構成図である。
【図３】図３は第１の実施の形態における無線通信システムの構成図である。
【図４】図４は無線パラメータ制御装置３０のブロック図である。
【図５】図５は無線パラメータ制御装置３０のフローチャートである。
【図６】図６は無線パラメータ制御装置３０の他の例のフローチャートである。
【図７】図７は第２の実施の形態における無線基地局のブロック図である。
【発明を実施するための形態】
【００２０】
本発明の概要を説明する。
【００２１】
図１及び図２は本発明の概要を説明するための図である。
【００２２】
本発明は、無線パラメータを制御する無線セル（以下、制御対象無線セルと記載する）の無線パラメータを変更したと仮定した場合に、制御対象無線セルをサービングセルとする無線端末の接続先無線セルが制御対象無線セル以外の無線セルとなる接続先変更無線端末を予測し、接続先変更無線端末の少なくとも一つ以上を、制御対象無線セルの無線パラメータを評価するための評価対象無線端末として選択する。そして、評価対象無線端末を考慮し、制御対象無線セルの無線パラメータを決定するものである。
【００２３】
具体的に、図１を用いて説明する。
【００２４】
図１において、無線パラメータを制御（変更）しようとする無線セルを制御対象無線セル２とする。ここで、制御対象無線セル２をサービングセルとする無線端末は、無線端末１ａ〜無線端末１ｅである。次に、制御対象無線セル２の無線パラメータとして、例えば、送信電力を減少したと仮定すると、制御対象無線セル２の無線セルのカバレッジが変化し、制御対象無線セル２の接続範囲が変化することが予測される。それにともない、制御対象無線セル２をサービングセルとする無線端末も、その存在する位置によっては接続先無線セルが変更される。
【００２５】
図１では、制御対象無線セル２をサービングセルする無線端末１ａ、無線端末１ｂ、無線端末１ｅの接続先無線セルが制御対象無線セル２とは異なる無線セル３に変更されると予測される。無線端末１ａ、無線端末１ｂ、無線端末１ｅは、制御対象無線セル２の無線パラメータを変更したと仮定した場合に、接続先無線セルが制御対象無線セル２以外の無線セルとなる無線端末であり、このような無線端末を、以下の説明において、接続先変更無線端末と記載する。
【００２６】
一方、無線端末１ｃ、無線端末１ｄの接続先無線セルは、送信電力を減少したと仮定しても、変わらずに制御対象無線セル２である。このような無線端末を、以下の説明において、接続先維持無線端末と記載する。
【００２７】
本発明では、接続先変更無線端末の少なくとも一つ以上を、制御対象無線セル２の無線パラメータを評価するための評価対象無線端末として選択する。評価対象無線端末の選択であるが、接続先変更無線端末の全てを評価対象無線端末として選択しても良いし、評価対象無線端末に接続先維持無線端末も含めても良い。すなわち、選択方法は限定されるものではなく、適時本発明を逸脱しない範囲で決定する。
【００２８】
次に、本発明の無線パラメータ制御システムを、図面を用いて説明する。
【００２９】
図２は本発明の無線パラメータ制御システムの構成図である。
【００３０】
本発明の無線パラメータ制御システムは、無線端末１０と、評価対象無線端末選択部１１と、無線パラメータ制御部１２とを有する。尚、無線通信ネットワーク１３は、無線端末１０に無線通信サービスを提供するシステムであり、無線基地局や無線パラメータ制御装置等を含む。そして、以下の説明において、無線通信ネットワーク１３は、評価対象無線端末選択部１１と、無線パラメータ制御部１２とを含むが、各部は無線基地局、無線パラメータ制御装置のいずれにあっても良い。
【００３１】
無線端末１０は、無線通信ネットワーク１３からの指示に基づいて、測定情報、例えば、無線品質を測定する機能を有し、無線品質を無線通信ネットワーク１３に送信する。ここで、無線端末１０の測定する無線品質の例としては、ＬＴＥ（Ｌｏｎｇ  Ｔｅｒｍ  Ｅｖｏｌｕｔｉｏｎ）であれば、受信電力を表すＲＳＲＰ（Ｒｅｆｅｒｅｎｃｅ Ｓｉｇｎａｌ Ｒｅｃｅｉｖｅｄ Ｐｏｗｅｒ）、受信品質を表すＲＳＲＱ（Ｒｅｆｅｒｅｎｃｅ Ｓｉｇｎａｌ Ｒｅｃｅｉｖｅｄ Ｑｕａｌｉｔｙ）、信号対干渉雑音比を表すＳＩＮＲ（Ｓｉｇｎａｌ ｔｏ Ｉｎｔｅｒｆｅｒｅｎｃｅ ｐｌｕｓ Ｎｏｉｓｅ Ｐｏｗｅｒ Ｒａｔｉｏ）、スループット、及びこれらの類似情報などである。
【００３２】
評価対象無線端末選択部１１は、制御対象無線セルの無線パラメータを実際には変更せず、無線パラメータを候補値に変更したと仮定して、制御対象無線セルをサービングセルとする無線端末１０の接続先無線セルを予測する。そして、接続先無線セルが制御対象無線セル以外の無線セルとなる接続先変更無線端末の少なくとも一つ以上を、評価対象無線端末として選択する。
【００３３】
接続先変更無線端末は、現在の無線パラメータの設定（無線パラメータの変更前）において制御対象無線セルをサービングセルとする無線端末１０から収集した測定情報（無線品質）を用いて予測する。具体的には、評価対象無線端末選択部１１は、無線端末１０から測定情報として収集した制御対象無線セル及びその周辺無線セル毎の無線品質が、制御対象無線セルの無線パラメータを変更したと仮定した場合にどのように変化するかを予測する。予測された無線セル毎の無線品質のうち、最も無線品質が高い無線セルを、制御対象無線セルの無線パラメータを変更したと仮定した場合の当該無線端末の接続先無線セルとして予測する。なお、最も無線品質が高い無線セルのみでなく、無線品質が高い上位所定数の無線セルまで接続先無線セルに含めても良い。そして、予測された接続先無線セルが制御対象無線セル以外の無線セルである場合、その無線端末１０を接続先変更無線端末と予測する。
【００３４】
評価対象無線端末選択部１１は、予測した接続先変更無線端末のうち少なくとも一つを、評価対象無線端末として選択する。評価対象無線端末の選択方法としては、接続先変更無線端末の全てを評価対象無線端末としても良いし、その一部を選択するようにしても良い。また、接続先維持無線端末を、評価対象無線端末に含めても良い。
【００３５】
無線パラメータ制御部１２は、評価対象無線端末選択部１１により選択された評価対象無線端末を考慮して、無線パラメータを決定する。具体的には、無線パラメータの候補値毎に、無線パラメータを当該候補値に変更したと仮定した場合の評価対象無線端末を求め、評価対象無線端末の通信品質を評価する。そして、通信品質の評価結果に基づき、無線パラメータを決定する。例えば、無線パラメータを各候補値に変更したと仮定した場合の評価対象無線端末毎のスループットを求め、最もスループットの改善度合いが高い候補値に無線パラメータを変更する。なお、ひとつの無線パラメータにおいて候補値が複数存在する場合には、候補値毎に評価対象無線端末を選択する代わりに、少なくともいずれか一つの候補値において評価対象無線端末として選択された無線端末を、無線パラメータの候補値間で共通の評価対象無線端末としても良い。また、制御する無線パラメータの種類が複数ある場合（例えば、無線セルの送信電力とアンテナのチルト角とアンテナの方位角など）には、少なくとも一つの無線パラメータの制御によって評価対象無線端末として選択された無線端末を、評価対象無線端末としても良い。また、評価対象無線端末の通信品質としては、上記したスループットのほか、ハンドオーバ失敗率や異常切断率、無線品質（受信電力、受信品質、信号対干渉雑音比など）であってもよい。また、無線パラメータの具体例は、無線セルの下り信号の最大送信電力、パイロット信号やリファレンス信号の送信電力、アンテナのチルト角、又はアンテナの方位角等である。また、無線パラメータとして、ＣＩＯ（Ｃｅｌｌ  Ｉｎｄｉｖｉｄｕａｌ  Ｏｆｆｓｅｔ）やＱｏｆｆｓｅｔを用いても良い。
【００３６】
また、全ての評価対象無線端末の通信品質を平等に評価しても良いが、接続先変更無線端末の測定情報、又は、接続先維持無線端末の測定情報に重みづけを行い、重みづけられた測定情報に基づいて通信品質を評価しても良い。例えば、接続先変更無線端末は、制御対象無線セルと周辺無線セルとの境界付近（セルエッジ）に存在すると考えられる。セルエッジに存在する無線端末は、たとえ無線セルの無線パラメータを変更しない状態で、かつ、当該無線端末が同じ場所に存在する場合であっても、シャドウイング等による電波変動の影響によって、サービングセルが変わりやすい。そのため、制御対象無線セルの中心付近に存在する無線端末、例えば、接続先維持無線端末に比べて、測定情報が集まりにくい。そこで、そうしたセルエッジに存在する無線端末の測定情報が軽視されないように、接続先変更無線端末の測定情報を重視するような重みづけを行い、重みづけられた測定情報に基づいて通信品質を評価する。
【００３７】
以上の如く、本発明は、制御対象無線セルの無線パラメータを変更したと仮定した場合に、サービングセルが制御対象無線セルから制御対象無線セル以外の無線セルとなる接続先変更無線端末を予測し、接続先変更無線端末の少なくとも一つ以上を、制御対象無線セルの無線パラメータを評価するための評価対象無線端末として選択し、評価対象無線端末を考慮し、制御対象無線セルの無線パラメータを決定する。
【００３８】
よって、無線パラメータの変更によってサービングセルが切り替わると予測される無線端末の通信品質を評価することができ、最適な無線パラメータを決定することができる。更に、制御対象無線セルの周辺に存在する無線セルの品質劣化を生じることなく、制御対象無線セルの無線パラメータを決定することができる。
【００３９】
以下、具体的な実施の形態を説明する。
【００４０】
＜第１の実施の形態＞
本発明の第１の実施の形態を説明する。
【００４１】
図３は第１の実施の形態における無線通信システムの構成図である。
【００４２】
第１の実施の形態の無線通信システムは、制御対象無線セル２を管理する無線基地局２０と、他の無線セル３を管理する無線基地局２１と、無線パラメータ制御装置３０と、複数の無線端末（以下、ＵＥ）４０とを有する。
【００４３】
ＵＥ４０は、測定情報（無線品質）を測定する機能を有する。無線品質は、ＵＥ４０が接続する無線セル（サービングセル）の無線品質の測定結果を含む。さらに、無線品質は、ＵＥ４０のサービングセル以外の周辺セルの無線品質の測定結果を含んでも良い。ＵＥ４０によって測定される無線品質の典型的な例は、無線基地局２０から送信される無線信号（下り信号）の受信品質である。
【００４４】
受信品質は、例えば、下りパイロット信号や、下りリファレンス信号の受信電力又はＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）などの信号対干渉雑音比である。Ｗ−ＣＤＭＡの場合、ＵＥ４０によって測定される無線品質は、無線セル毎の共通パイロットチャネル（ＣＰＩＣＨ：Ｃｏｍｍｏｎ  Ｐｉｌｏｔ  Ｃｈａｎｎｅｌ）の受信電力（ＣＰＩＣＨ  ＲＳＣＰ（Ｒｅｃｅｉｖｅｄ  Ｓｉｇｎａｌ  Ｃｏｄｅ  Ｐｏｗｅｒ））や、ＣＰＩＣＨの１チップ当たりのエネルギー対帯域内受信電力密度比（Ｅｃ／Ｎｏ）とすれば良い。また、ＬＴＥ（Ｌｏｎｇ  Ｔｅｒｍ  Ｅｖｏｌｕｔｉｏｎ）の場合、ＵＥ４０によって測定される無線品質は、下りリファレンス信号（Ｄｏｗｎｌｉｎｋ  Ｒｅｆｅｒｅｎｃｅ  Ｓｉｇｎａｌ）の受信電力（ＲＳＲＰ：Ｒｅｆｅｒｅｎｃｅ  Ｓｉｇｎａｌ  Ｒｅｃｅｉｖｅｄ  Ｐｏｗｅｒ）や、受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）とすれば良い。
【００４５】
さらに、無線品質は、スループットやＢＬＥＲ（Ｂｌｏｃｋ  Ｅｒｒｏｒ  Ｒａｔｅ）などの通信品質、異常切断やハンドオーバ失敗の発生有無といったイベント情報、ＵＥが無線品質を測定した時刻、各無線品質に対応する無線セルの識別子、及びＵＥの識別子などの情報を含んでも良い。
【００４６】
ＵＥ４０は、測定した無線品質を、無線基地局２０に送信する。
【００４７】
無線基地局２０は、制御対象無線セル２を管理し、複数のＵＥ４０との間で双方向の無線通信を行う。そして、配下のＵＥ４０で測定された無線品質を収集すると共に、その情報を無線パラメータ制御装置３０に通知する機能を有する。無線品質だけでなく、無線セル単位で集計されるパフォーマンスカウンタ情報（例えば、通信発生回数、ハンドオーバ回数、リソースブロック使用率、トラフィック負荷、異常切断率、ハンドオーバ失敗率など）を無線パラメータ制御装置３０に通知しても良い。また、無線基地局２０は、無線パラメータ制御装置３０における無線パラメータ決定結果に従い、自身や自身の管理する無線セルの無線パラメータを変更する機能を備える。尚、図３では、各無線基地局が１つの無線セルを管理する形態について例示したが、これに限定されない。すなわち、各無線基地局が複数の無線セルを管理する形態を取っても良い。
【００４８】
無線パラメータ制御装置３０は、無線基地局２０から報告される無線品質やパフォーマンスカウンタ情報を基に、無線基地局２０や制御対象無線セル２の無線パラメータを決定し、その結果を当該無線基地局２０に通知する機能を有する。
【００４９】
図４は無線パラメータ制御装置３０のブロック図である。
【００５０】
無線パラメータ制御装置３０は、無線基地局２０から報告される測定情報（無線品質等）やパフォーマンスカウンタ情報を基に、制御対象無線セル２０の無線パラメータを決定し、その結果を、当該無線セルを管理する無線基地局２０に通知する機能を有する。
【００５１】
そして、無線パラメータ制御装置３０は、測定情報データベース３１と、接続先無線セル予測部３２と、評価対象無線端末選択部３３と、通信品質予測部３４と、無線パラメータ決定部３５とを有する。
【００５２】
次に、無線パラメータ制御装置３０の構成について説明する。
【００５３】
測定情報データベース３１は、無線基地局２０から報告される無線端末の無線品質やパフォーマンスカウンタ情報を登録しておくデータベースである。
【００５４】
接続先無線セル予測部３２は、測定情報データベース３１に登録されたＵＥ４０が測定した無線セルの測定情報（無線品質）を用いて、制御対象無線セルの無線パラメータを所定の候補値に変更したと仮定した場合の、制御対象無線セルをサービングセルとするＵＥ４０の接続先無線セルを予測する。具体的には、ＵＥ４０が測定した測定情報（無線品質）を用いて、制御対象無線セルの無線パラメータを候補値に変更したと仮定した場合の、制御対象無線セルをサービングセルとするＵＥ４０の接続先無線セルを予測する。以下に、無線セル毎の受信電力（ＲＳＲＰ（Ｒｅｆｅｒｅｎｃｅ Ｓｉｇｎａｌ Ｒｅｃｅｉｖｅｄ Ｐｏｗｅｒ））を測定情報として収集し、無線セルの無線パラメータとして送信電力を制御する場合の具体例について説明する。
【００５５】
まず、ＵＥ４０によって測定および報告された測定情報のうち、制御対象無線セルをサービングセルとするＵＥ４０の測定情報を、（ＲＳＲＰｓ、ＲＳＲＰｎ１、ＲＳＲＰｎ２、・・・、ＲＳＲＰｎｉ）とする。ここで、ＲＳＲＰｓはサービングセルのＲＳＲＰ［ｄＢｍ］、ＲＳＲＰｎｉはサービングセル以外の無線セルｉのＲＳＲＰ［ｄＢｍ］である。制御対象無線セルの送信電力を現在の設定値であるＰｒ［ｄＢｍ］から候補値Ｐｃ［ｄＢｍ］に変更したと仮定した場合の無線セル毎のＲＳＲＰは、制御対象無線セルのＲＳＲＰのみが送信電力の変更量分だけ変化するとみなして、（ＲＳＲＰｓ−（Ｐｒ−Ｐｃ）、ＲＳＲＰｎ１、ＲＳＲＰｎ２、・・・、ＲＳＲＰｎｉ）と予測することができる。そして、予測された無線セル毎のＲＳＲＰの中で最もＲＳＲＰが高い無線セルを、制御対象無線セルの送信電力を現在の設定値であるＰｒ［ｄＢｍ］から候補値Ｐｃ［ｄＢｍ］に変更したと仮定した場合に当該ＵＥ４０が接続する接続先無線セルとして予測する。尚、この時、ＲＳＲＰが最も高い無線セルのみならず、上位３つのように、上位所定数の無線セルを接続先無線セルに含めても良い。尚、上記では、ＲＳＲＰの例を説明したが、これに限られることなく、ＲＳＲＱ、ＳＩＮＲ、スループット、及びこれらの類似情報などでも良い。
【００５６】
評価対象無線端末選択部３３は、無線パラメータの候補値毎に、接続先無線セル予測部３２により予測されたＵＥ４０の接続先無線セルが制御対象無線セル以外の無線セルとなる接続先変更無線端末と、接続先無線セル予測部３２により予測された接続先無線セルが制御対象無線セルとなる接続先維持無線端末とを区別し、少なくとも一つ以上の接続先変更無線端末を、その無線パラメータの候補値を評価するための評価対象無線端末として選択する。尚、ひとつの無線パラメータにおいて候補値が複数存在する場合には、候補値毎に当該候補値を評価するための評価対象無線端末を選択する代わりに、少なくともいずれか一つの候補値において評価対象無線端末として選択された無線端末を、無線パラメータの候補値間で共通の評価対象無線端末としても良い。ここで、接続先維持無線端末も評価対象無線端末に含めても良いことはいうまでもない。また、評価対象無線端末の測定情報を通信品質予測部３４により用いる場合、評価対象無線端末を選択する代わりに、その評価対象無線端末の測定情報を直接選択しても良いことはいうまでもない。
【００５７】
通信品質予測部３４は、無線パラメータの候補値に対する評価対象無線端末の通信品質を予測する。評価する通信品質としては、各評価対象無線端末のスループット、ハンドオーバ失敗率や異常切断率、無線品質（受信電力、受信品質、信号対干渉雑音比など）などである。
【００５８】
無線パラメータ決定部３５は、評価対象無線端末の通信品質の評価の結果を用いて、制御対象無線セル２の無線パラメータを決定する。例えば、無線パラメータ決定部３５は、通信品質予測部３４により予測された測定情報（無線品質情報）毎に通信品質（例えば、スループット）を予測し、通信品質が改善するように制御対象無線セル２の無線パラメータを決定する。尚、無線パラメータの具体例は、無線セルの下り信号の最大送信電力、パイロット信号やリファレンス信号の送信電力、アンテナのチルト角、又はアンテナの方位角等である。また、無線パラメータとして、ＣＩＯ（Ｃｅｌｌ  Ｉｎｄｉｖｉｄｕａｌ  Ｏｆｆｓｅｔ）やＱｏｆｆｓｅｔを用いても良い。
【００５９】
以下に、評価対象無線端末の通信品質の予測及び無線パラメータの決定方法のひとつの具体例を説明する。ここでは、測定情報として無線セル毎の受信電力（ＲＳＲＰ）が含まれ、無線パラメータとして制御対象無線セルの送信電力を決定する場合について説明する。通信品質予測部３４は、評価対象無線端末を対象にして、以下に示す方法によって、送信電力の候補値毎のスループットを測定情報毎に予測する。
【００６０】
測定情報に含まれる無線セル毎の受信電力（ＲＳＲＰ［ｄＢｍ］）を、
（ＲＳＲＰｓ、ＲＳＲＰｎ１、ＲＳＲＰｎ２、・・・、ＲＳＲＰｎｉ）
とおく。ここで、ＲＳＲＰｓは、無線パラメータを決定する制御対象無線セルのＲＳＲＰを表す。また、ＲＳＲＰｎ１、ＲＳＲＰｎ２、・・・、ＲＳＲＰｎｉは、周辺無線セル１から周辺無線セルｉまでの各無線セルのＲＳＲＰを表す。
【００６１】
まず、制御対象無線セルの送信電力を、現状のＰｒ［ｄＢｍ］から候補値Ｐｃ［ｄＢｍ］に変更したと仮定した場合の無線セル毎のＲＳＲＰを予測する。例えば、制御対象無線セルのＲＳＲＰ（ＲＳＲＰｓ）のみが送信電力の変更量分だけ変化すると仮定して、
（ＲＳＲＰｓ−（Ｐｒ−Ｐｃ）、ＲＳＲＰｎ１、ＲＳＲＰｎ２、・・・、ＲＳＲＰｎｉ）
として予測することができる。
【００６２】
次に、上記予測結果を降順に並べ替え、ＲＳＲＰの単位をデシベル値（ｄＢｍ）から実数値（ｍＷ）に変換した結果を、
（Ｓ１、Ｉ１、Ｉ２、・・・、Ｉｎｉ）
とおく。このとき、Ｓ１に対応する無線セルは、制御対象無線セルの送信電力を変更したと仮定した場合に最もＲＳＲＰが高くなる無線セルであるため、送信電力を変更した場合の接続先無線セルとみなすことができる。
【００６３】
制御対象無線セルの送信電力を候補値Ｐｃ［ｄＢｍ］に変更したと仮定した場合の当該測定情報のＳＩＮＲは、
ＳＩＮＲ＝Ｓ１／（Ｉ１＋Ｉ２＋・・・＋Ｉｎｉ＋ＮＯＩＳＥ）
として予測することができる。なお、ＮＯＩＳＥは熱雑音［ｍＷ］を表す。以降の説明のために、上記のＳＩＮＲをデシベル値（ｄＢ）に変換した結果をＳＩＮＲ’とおく。
【００６４】
制御対象無線セルの送信電力を候補値Ｐｃ［ｄＢｍ］に変更したと仮定した場合の当該測定情報のスループット（ＴＰ）は、当業者に良く知られたシャノン式を用いて、
ＴＰ＝Ｂ×ｌｏｇ２（１＋ＳＩＮＲ’）×α
として予測することができる。ここで、Ｂはシステム帯域幅［Ｈｚ］、αは受信機の実装等に依存して生じる理論限界からの劣化量を表す定数である。
【００６５】
無線パラメータ決定部３５は、上記のようにして無線パラメータの候補値毎に、評価対象無線端末の測定情報毎のスループットを予測し、最もスループットの改善が期待される無線パラメータの候補値を求めればよい。なお、ここで示した無線パラメータの決定方法は単なる一例であり、本発明の適用対象を制限するものではない。
【００６６】
次に、第１の実施の形態の無線パラメータ制御装置３０の動作の一例として、制御対象無線セル２の無線パラメータの候補値毎に評価対象無線端末を選択し、評価対象無線端末の通信品質の予測結果に基づき、無線パラメータを決定する場合について説明する。
【００６７】
図５は第１の実施の形態における無線パラメータ制御装置３０の動作フローチャートである。
【００６８】
まず、無線パラメータ制御装置３０は、無線基地局２０が収集したＵＥ４０の測定情報を収集する（Ｓｔｅｐ  １）。収集されたＵＥ４０の測定情報（無線品質等）は、測定情報データベース３１に登録される。
【００６９】
次に、無線パラメータ制御装置３０は、制御対象無線セル２の無線パラメータの候補値毎に、評価対象無線端末の通信品質を予測する（Ｓｔｅｐ  ２からＳｔｅｐ  ４）。
【００７０】
具体的には、接続先無線セル予測部３２は、測定情報データベース３１に登録されたＵＥ４０の測定情報のうち制御対象無線セルをサービングセルとするＵＥ４０の測定情報を用いて、制御対象無線セル２の無線パラメータを候補値に変更したと仮定した場合の各ＵＥ４０の接続先無線セルを予測する（Ｓｔｅｐ  ２）。続いて、評価対象無線端末選択部３３は、接続先無線セル予測部３２により予測された接続先無線セルに基づいて、接続先変更無線端末と接続先維持無線端末とを区別し、少なくとも一つ以上の接続先変更無線端末を、評価対象無線端末として選択する（Ｓｔｅｐ  ３）。そして、通信品質予測部３４は、制御対象無線セル２の無線パラメータの候補値に対する評価対象無線端末毎の通信品質を予測する（Ｓｔｅｐ  ４）。
【００７１】
最後に、無線パラメータ決定部３５は、無線パラメータの各候補値に対する評価対象無線端末毎の通信品質の中で、最も通信品質の改善が期待される候補値を、無線パラメータの値として決定する（Ｓｔｅｐ  ５）。例えば、無線パラメータの候補値毎に評価対象無線端末の平均スループットを求め、平均スループットが最も改善する無線パラメータの候補値を選択する。また、無線パラメータの候補値毎に評価対象無線端末の下位５％スループットを求め、下位５％スループットが最も改善する無線パラメータの候補値を選択する。
【００７２】
次に、第１の実施の形態の他の一例を説明する。
【００７３】
第１の実施の形態の他の一例は、上記のように無線パラメータの候補値ごとに評価対象無線端末を選択する代わりに、制御対象無線セル２の無線パラメータのいずれかの候補値において評価対象無線端末となる無線端末を評価対象無線端末とする。ここで、評価対象無線端末の選択は、無線パラメータの候補値毎に評価対象無線端末を選択し、いずれかの候補値で評価対象無線端末として選択した無線端末を、無線パラメータの候補値間で共通の評価対象無線端末とする。また、無線パラメータの候補値のうち所定の候補値（例えば、制御対象無線セル２の接続範囲を最も狭めるような候補値）を選び、その候補値において評価対象無線端末を選択し、選択した評価対象無線端末を無線パラメータの候補値間で共通の評価対象無線端末としても良い。そして、選択した評価対象無線端末を無線パラメータの候補値間で共通の評価対象無線端末として、無線パラメータの候補値毎に評価対象無線端末の通信品質を予測し、無線パラメータを決定する。
【００７４】
図６は第１の実施の形態の他の一例の無線パラメータ制御装置３０の動作フローチャートである。
【００７５】
まず、無線パラメータ制御装置３０は、無線基地局２０が収集したＵＥ４０の測定情報を収集する（Ｓｔｅｐ  １０）。収集されたＵＥ４０の測定情報（無線品質等）は、測定情報データベース３１に登録される。
【００７６】
次に、接続先無線セル予測部３２は、測定情報データベース３１に登録されたＵＥ４０の測定情報のうち、現在の無線パラメータの設定（無線パラメータの変更前）において制御対象無線セルをサービングセルとするＵＥ４０から収集した測定情報を用いて、制御対象無線セル２の無線パラメータの候補値毎に、その候補値に変更したと仮定した場合の各ＵＥ４０の接続先無線セルを予測する（Ｓｔｅｐ  １１）。続いて、評価対象無線端末選択部３３は、接続先無線セル予測部３２により予測された接続先無線セルに基づいて、接続先変更無線端末と接続先維持無線端末とを区別し、いずれかの候補値で接続先変更無線端末となるＵＥ４０を、無線パラメータの候補値間で共通の評価対象無線端末として選択する（Ｓｔｅｐ  １２）。
【００７７】
また、上記のように無線パラメータのいずれかの候補値で接続先変更無線端末となるＵＥ４０を評価対象無線端末として選択する代わりに、無線パラメータの候補値のうち所定の候補値（例えば、制御対象無線セル２の接続範囲を最も狭めるような候補値）を選び、その候補値において選択された評価対象無線端末を無線パラメータの候補値間で共通の評価対象無線端末としても良い。具体的には、接続先無線セル予測部３２は、測定情報データベース３１に登録されたＵＥ４０の測定情報のうち、現在の無線パラメータの設定（無線パラメータの変更前）において制御対象無線セルをサービングセルとするＵＥ４０から収集した測定情報を用いて、制御対象無線セル２の無線パラメータを所定の候補値、例えば、送信電力の候補値のうち一番低い送信電力に変更したと仮定した場合の各ＵＥ４０の接続先無線セルを予測する（Ｓｔｅｐ  １１）。続いて、評価対象無線端末選択部３３は、接続先無線セル予測部３２により予測された接続先無線セルに基づいて、接続先変更無線端末と接続先維持無線端末とを区別し、少なくとも一つ以上の接続先変更無線端末を、無線パラメータの候補値間で共通の評価対象無線端末として選択する（Ｓｔｅｐ  １２）。
【００７８】
続いて、通信品質予測部３４は、Ｓｔｅｐ  １２で選択された評価対象無線端末の通信品質を、無線パラメータの候補値毎に予測する（Ｓｔｅｐ  １３）。
【００７９】
最後に、無線パラメータ決定部３５は、無線パラメータの各候補値に対する評価対象無線端末毎の通信品質の中で、最も通信品質の改善が期待される候補値を、無線パラメータの値として決定する（Ｓｔｅｐ  １４）。
【００８０】
第１の実施の形態は、制御対象無線セルの無線パラメータを変更したと仮定した場合に、サービングセルが制御対象無線セルから制御対象無線セル以外の無線セルとなる接続先変更無線端末を予測し、接続先変更無線端末の少なくとも一つ以上を、制御対象無線セルの無線パラメータを評価するための評価対象無線端末として選択し、評価対象無線端末を考慮して、制御対象無線セルの無線パラメータを決定している。すなわち、無線パラメータの変更に伴う無線端末の接続先無線セルの変化を考慮し、制御対象無線セルの無線パラメータを決定している。
【００８１】
よって、制御対象無線セルの周辺に存在する無線セルの品質劣化を生じることなく、制御対象無線セルの無線パラメータを決定することができる。
【００８２】
＜第２の実施の形態＞
第２の実施の形態を説明する。
【００８３】
無線パラメータの変更、例えば、送信電力等の減少によって、接続先無線セルが制御対象無線セルから周辺セルへと移り変わると予測された接続先変更無線端末は、制御対象無線セルと周辺セルの境界付近（セルエッジ）に存在すると考えられる。セルエッジに存在する無線端末は、たとえ無線セルの無線パラメータを変更しない状態で、かつ、当該無線端末が同じ場所に存在する場合であっても、シャドウイング等による電波変動の影響によって、サービングセルが変わりやすい。こうした理由により、無線基地局が自身の管理する無線セルに接続する無線端末から測定情報を収集し、収集した測定情報を用いて無線パラメータの制御を行う場合、制御対象無線セルの中心付近に存在する接続先維持無線端末に比べて、セルエッジに存在する無線端末からは測定情報が集まりにくく、無線パラメータを決定する際にセルエッジの品質が十分に考慮されない可能性がある。
【００８４】
そこで、第２の実施の形態では、接続先変更無線端末と接続先維持無線端末とを評価対象無線端末に含めながらも、接続先変更無線端末の測定情報を重視し、接続先変更無線端末の測定情報が接続先維持無線端末の測定情報に比べて軽視されないように、評価対象無線端末の測定情報に重みづけ行う場合を説明する。尚、第１の実施の形態と同様な部分については説明を省略し、異なる部分について説明する。
【００８５】
評価対象無線端末選択部３３は、接続先無線セル予測部３２により予測されたＵＥ４０の接続先無線セルに基づいて、接続先無線セルが制御対象無線セル以外の無線セルとなる接続先変更無線端末と、接続先無線セルが制御対象無線セルとなる接続先維持無線端末とを区別する。そして、少なくとも一つ以上の接続先変更無線端末と、少なくとも一つ以上の接続先維持無線端末とを評価対象無線端末として選択する。
【００８６】
通信品質予測部３４は、評価対象無線端末のうち接続先変更無線端末の測定情報が重視されるように重みづけを行う。
【００８７】
一つの実施例として、接続先変更無線端末の測定情報の報告数に対して重みづけを行い、接続先変更無線端末の測定情報の報告数を実際の報告数よりも増加させれば良い。または、接続先維持無線端末の測定情報を、一定の割合で間引いても良い。これにより、セルエッジに存在する無線端末からは測定情報が集まりにくいという上述の課題を解決することができる。また、接続先変更無線端末の測定情報の報告値を修正しても良い。例えば、測定情報に無線セル毎の受信電力が含まれる場合に、接続先変更無線端末の測定情報に対して、制御対象無線セルの受信電力は所定量だけ低くし、制御対象無線セル以外の無線セルの受信電力は所定量だけ高くするように修正を加える。これにより、無線端末が存在する位置を、制御対象無線セルの中心から遠ざかる方向に仮想的に変更し、セルエッジの品質をより考慮した無線パラメータの決定が可能となる。このように重みづけされた評価対象無線端末の測定情報について、無線パラメータの候補値毎に通信品質の予測を行う。
【００８８】
また、他の例として、接続先変更無線端末の測定情報を用いて予測された通信品質と、接続先維持無線端末の測定情報を用いて予測された通信品質とに、接続先変更無線端末の測定情報を用いて予測された通信品質が重視されるような重み付けをしても良い。例えば、ある無線パラメータの候補値について、接続先変更無線端末の測定情報を用いて予測された通信品質の平均値をＸ、接続先維持無線端末の測定情報を用いて予測された通信品質の平均値をＹとした場合、当該候補値における総合的な通信品質をα・Ｘ＋β・Ｙとして評価する。ここで、パラメータαをパラメータβよりも大きな値とすることによって、接続先変更無線端末の測定情報を重視することが可能となる。
【００８９】
尚、通信品質の予測や無線パラメータの決定方法については、第１の実施の形態で述べた通りである。
【００９０】
また、上述の説明では、接続先変更無線端末の測定情報を重視する例を説明したが、これに限られず、接続先維持無線端末の測定情報を重視するようにしても良い。その場合、接続先維持無線端末の測定情報の報告数を実際の報告数よりも増す。または、接続先変更無線端末の測定情報を、一定の割合で間引いても良い。また、接続先維持無線端末の測定情報の報告値を修正しても良い。
【００９１】
第２の実施の形態では、接続先変更無線端末の測定情報と接続先維持無線端末の測定情報とのいずれかを重視する一方、重視しない測定情報も用いるので、第１の実施の形態の効果に加えて、無線セル全体のバランスを考慮した無線パラメータを決定することができる。
【００９２】
＜第３の実施の形態＞
第３の実施の形態を説明する。
【００９３】
上述した実施の形態では、無線パラメータ制御装置３０が、測定情報データベース３１と、接続先無線セル予測部３２と、評価対象無線端末選択部３３と、通信品質予測部３４と、無線パラメータ決定部３５とを備えている場合を説明した。
【００９４】
しかしながら、それらは、かならずしも無線パラメータ制御装置３０が全て備えている必要はない。例えば、無線基地局４０が無線パラメータ制御装置３０の機能を備えても良い。図７に無線基地局２０のブロック図を示す。無線基地局２０は、無線パラメータ制御装置３０と同様に、測定情報データベース３１と、接続先無線セル予測部３２と、評価対象無線端末選択部３３と、通信品質予測部３４と、無線パラメータ決定部３５とを備えている。
【００９５】
本実施の形態では、自律的に各無線基地局が評価対象無線端末を決定し、評価対象無線端末の通信品質を評価し、無線パラメータの制御を行う。そのため、集中的に複数の無線基地局を管理する装置が不要である。また、一連の処理が無線基地局内で行われるため、無線パラメータの制御を時間的に細かく実行するのに適している。
【００９６】
以上で本発明の実施の形態の説明を終わるが、上述した説明からも明らかなように、各部をハードウェアで構成してもよいし、コンピュータプログラムにより実現してもよい。この場合、プログラムメモリに格納されているプログラムで動作するプロセッサによって、上述した各実施の形態と同様の機能、動作を実現させる。また、上述した実施の形態の一部の機能のみをコンピュータプログラムにより実現してもよい。
【００９７】
更に、実施の形態をあげて本発明を説明したが、本発明は必ずしも上記実施の形態に限定されるものではなく、その技術的思想の範囲内において様々に変形し実施してもよい。また、各実施の形態を適宜組み合わせて実施してもよい。
【符号の説明】
【００９８】
１ａ〜１ｅ      無線端末
２              制御対象無線セル
３              無線セル
１０            無線端末
１１            評価対象無線端末選択部
１２            無線パラメータ制御部
１３            無線通信ネットワーク
２０，２１      無線基地局
３０            無線パラメータ制御装置
３１            測定情報データベース
３２            接続先無線セル予測部
３３            評価対象無線端末選択部
３４            通信品質予測部
３５            無線パラメータ決定部
４０            ＵＥ
【図１】
0005928687.tif 000002
【図２】
0005928687.tif 000003
【図３】
0005928687.tif 000004
【図４】
0005928687.tif 000005
【図５】
0005928687.tif 000006
【図６】
0005928687.tif 000007
【図７】
0005928687.tif 000008